(57)【要約】【課題】キルンストーカ炉における焼却能力を増大するのに、ロータリーキルンを大型化する必要性をなくし、ロータリーキルンの大型化に伴う問題を解決する。【解決手段】キルンストーカ炉１０におけるストーカ炉１８に対して２以上のロータリーキルン２０，２０を取り付ける。ロータリーキルンを２以上とすることにより、各ロータリーキルンは大型化することなく、しかも、当該キルンストーカ炉の全体としての焼却能力を増大する。 【選択図】図１
2005308335.tif 000002
【特許請求の範囲】
【請求項１】
炉室を画定する炉本体、及び、炉室の床面を構成する火格子構造を備えるストーカ炉と、
該ストーカ炉の炉本体側壁に複数取付けられたロータリーキルンであって、各ロータリーキルンが、それぞれ受け入れた廃棄物を回転しながら攪拌し、加熱して、乾燥、燃焼等の所要の処理をして上記ストーカ炉内に移送するようにした複数のロータリーキルンと
を備えることを特徴とするキルンストーカ炉。
【請求項２】
２つのロータリーキルンを備え、該２つのロータリーキルンが、上記ストーカ炉の火格子構造による廃棄物送り方向に対して左右の側壁に取り付けられていることを特徴とする請求項１に記載のキルンストーカ炉。
【請求項３】
ストーカ炉が、
上記火格子構造による廃棄物送り方向に対して後方端部において、廃棄物を当該ストーカ炉の炉室内に受け入れるための廃棄物投入口を有することを特徴とする請求項１若しくは２に記載のキルンストーカ炉。
【請求項４】
ストーカ炉が、上記火格子構造による廃棄物送り方向に対して後方端部に取付けられた廃棄物受入れ筒を備え、
上記ロータリーキルンが該廃棄物受入れ筒の側壁に取り付けられ、
廃棄物が該廃棄物受入れ筒を介して上記ストーカ炉に供給されるようにした
ことを特徴とする請求項１に記載のキルンストーカ炉。
【発明の詳細な説明】
【技術分野】
【０００１】
本発明は、都市ごみや産廃などの燃焼炉、特に、キルンストーカ炉に関する。
【背景技術】
【０００２】
回転されるドラム状のロータリーキルンと、ストーカ炉とを結合したキルンストーカ炉は、廃棄物焼却炉として広く使用されている。
【０００３】
ロータリーキルンは、投入される廃棄物を回転攪拌しながら加熱乾燥及び燃焼を行い、ストーカ炉はロータリーキルンからの廃棄物を受け入れて二次燃焼を行うものである。
【０００４】
都市ゴミなどの廃棄物処理には処理能力の大きい大型の焼却炉が求められるが、キルンストーカ炉の場合、次のような問題があった。
【０００５】
すなわち、ロータリーキルンは円筒状の回転炉であり、その処理能力を増大するためには、当該回転炉の直径を拡大すると共に全長も長くする。しかし、そのような円筒状の回転炉を一定以上の寸法精度を保って製作することは困難である。また、大型の焼却炉は、通常、焼却炉施設用地において組立てることになるので、その様な場所で、寸法精度を保って組み立てることは更に難しくなる。回転炉は、炉内を外部から遮蔽した状態で回転する必要があるので、寸法精度の維持は、重要である。
【０００６】
また、ロータリーキルンは廃棄物投入口から投入された廃棄物が、当該ロータリーキルンの回転に伴って次第にストーカ炉に向けて移動するように、廃棄物投入口からストーカ炉に向けて水平位置から所定角度をつけて下方に傾斜させるのが一般的である。このため、回転炉内で発生した未燃ガスは廃棄物投入口付近に滞留しやすくなる。燃焼のための空気供給は、主にストーカ炉において行われるが、該空気がロータリーキルン内に入ると滞留した未燃ガスが燃焼され、炉内での局部的高熱が発生し、例えば、炉壁にクリンカ（灰が溶けて付着）が生じるなどの問題が起こる虞がある。
尚、この出願の発明に関連する先行技術情報としては、次のようなものがある。
【特許文献１】特開昭５２−１００７６６号
【特許文献２】特開平８−１７３９３５号
【発明の開示】
【発明が解決しようとする課題】
【０００７】
本発明は、このような問題を解決することを目的とするものである。
具体的には、大きな処理能力を持つロータリーキルンを、高い精度をもって且つ容易に製作できるようにすると共に、上述のクリンカなどの問題発生を低減することができるようにすることを目的とするものである。
【課題を解決するための手段】
【０００８】
すなわち、本発明は、
炉室を画定する炉本体、及び、炉室の床面を構成する火格子構造を備えるストーカ炉と、
該ストーカ炉の炉本体側壁に複数取付けられたロータリーキルンであって、各ロータリーキルンが、それぞれ受け入れた廃棄物を回転しながら攪拌し、加熱して、乾燥、燃焼等の所要の処理をして上記ストーカ炉内に移送するようにした複数のロータリーキルンと
を備えることを特徴とするキルンストーカ炉を提供する。
【０００９】
具体的構造としては、上記ロータリーキルンを２台備え、該２台のロータリーキルンが、上記ストーカ炉の火格子構造による廃棄物送り方向に対して左右の側壁に取り付けられるようにすることができる。
【００１０】
また、ストーカ炉が、
上記火格子構造による廃棄物送り方向に対して後方端部において、廃棄物を当該ストーカ炉の炉室内に受け入れるための廃棄物投入口を有するようにすることもできる。
【００１１】
更に、ストーカ炉が、上記火格子構造による廃棄物送り方向に対して後方端部に取付けられた廃棄物受入れ筒を備え、
上記ロータリーキルンが該廃棄物受入れ筒の側壁に取り付けられ、
廃棄物が該廃棄物受入れ筒を介して上記ストーカ炉に供給されるようにすることもできる。
【発明の効果】
【００１２】
本発明に係るキルンストーカ炉は、上記の如く構成されるものであり、従来、キルンストーカ炉では、１つのロータリーキルン炉を、ストーカ炉の火格子構造による廃棄物送り方向に対して後方端部炉壁に取り付けるものとされていた常識的考えに囚われず、複数のロータリーキルンをストーカ炉の左右側壁など所要の位置に取り付けるようにしたので、当該キルンストーカ炉の焼却能力を大きくする場合でも、それぞれのロータリーキルンを大型にする必要はない。
従って、ロータリーキルンを大型化する場合に生じていた上述の如き問題を回避することができる。
【００１３】
更に、従来のキルンストーカ炉においてロータリーキルンが取り付けられていたストーカ炉の後端壁面に廃棄物投入口を設けることもできるようにしたので、この点でも上述のロータリーキルンの大型化による問題を回避することが可能となり、更に、必要に応じてストーカ炉内への廃棄物の直接投入ができるので、同一のキルンストーカ炉でも焼却能力に幅をもたせることができる。
【発明を実施するための最良の形態】
【００１４】
以下、本発明に係るキルンストーカ炉の実施形態を、添付図面に基づき説明する。
図１は、本発明に係るキルンストーカ炉１０の断面側面図であり、図２は図１のII−II線断面図である。
【００１５】
図示のように、キルンストーカ炉１０は、炉室１２を画定する炉本体１４、及び、炉室の床面を構成する火格子構造１６を備えるストーカ炉１８と、該ストーカ炉１８の炉本体側壁に取付けられた２つのロータリーキルン２０，２０とを有している。
【００１６】
ストーカ炉１８の火格子構造１６は、その上に供給された廃棄物を図１における奥から手前に向けて（図２における矢印Ａで示す上から下に向けて）移送するように作用する。
ロータリーキルン２０，２０は、ストーカ炉１８の上記廃棄物の移送方向に対してその左右両側の壁面１４−１，１４−２に取り付けられており、各ロータリーキルンが、それぞれに取り付けられたホッパー２２，２２に供給された廃棄物を受け入れて、同廃棄物を回転しながら攪拌し、加熱して、乾燥、燃焼等の所要の処理をしてストーカ炉１８内に移送するようになっている。
【００１７】
図示の例では、ストーカ炉１８における（図２に示す廃棄物移送方向Ａを基準として）後端壁１４−３に廃棄物投入口１４−４が形成されており、必要に応じ、廃棄物を廃棄物投入口１４−４から直接ストーカ炉１８内に供給することができるようにする。直接供給を行わない場合には、該投入口は閉止される。
【００１８】
以上で説明した本発明に係るキルンストーカ炉では、２つのロータリーキルン２０，２０がストーカ炉１８の左右側面に設けられているが、これらロータリーキルンの取付け位置はこれに限定されるものではなく、また、取付数も３以上とすることもできる。更に、ストーカ炉の側面の一箇所に、例えば後端壁に、従来のキルンストーカ炉におけるロータリーキルンの取り付けと同様の態様で、廃棄物受入れ筒を設け、該廃棄物受入れ筒の左右にロータリーキルン炉を設けるといった構造とすることも可能である。その場合は、ロータリーキルンから廃棄物受入れ筒に供給された廃棄物を、ストーカ炉に向けて押出すためのプッシャーを設けることが好ましい。
【図面の簡単な説明】
【００１９】
【図１】本発明に係るキルンストーカ炉の断面側面図である。
【図２】図１の２−２線断面図である。
【符号の説明】
【００２０】
１０                    キルンストーカ炉
１２                  （ストーカ炉の）炉室
１４                  （ストーカ炉の）炉本体
１４−１、１４−２      炉本体の側壁
１４−３                炉本体の後端壁
１４−４                廃棄物投入口
１４−５                閉止壁部材
１６                    火格子構造
１８                    ストーカ炉
２０                    ロータリーキルン
２２                    ホッパー
Ａ                      火格子構造による廃棄物の移送方向
【図１】
2005308335.tif 000003
【図２】
2005308335.tif 000004